(57)【要約】  【課題】筐体を磁石を用いて取り付けるときに、単に磁石で取り付けるだけでなく、取付け位置を規定する構造を備えるとともに、容易には取り外しにくいようにして、脱落や盗難等の不用意な取り外しを防止する構造を備えた取付け構造の提供。  【解決手段】本発明にかかる筐体の取付け構造では、筐体１の背面１１には４つの磁石３を固定し、固定部材２は鉄等の磁性体で形成するとともに、取付け除隊において前記磁石３を取り囲むような凸部５を形成し、都付けた状態において、前記磁石３が前記凸部５に囲まれた凹部５１に嵌まり込んで吸着するように構成した。また、前記筐体１に設けたネジ孔１２を用いて、筐体１を取付け部材２にネジ止めするように構成した。【選択図】      図１
2005347294.tif 000002
【特許請求の範囲】
【請求項１】
筐体もしくは取付け対象の壁面の何れか一方の第１部材には、磁石を固定し、
他方の第２部材には、取付け状態における前記磁石に対応する位置に磁性体を配設し、
前記磁石と前記磁性体とを吸着させることによって、筐体を取付け対象の壁面に取付けるように構成した筐体の取付け構造において、
前記第１部材には、第１の凹凸構造を形成するとともに、前記第２部材には、取付け状態において前記第１の凹凸構造に嵌まり合う第２の凹凸構造を形成することによって、筐体の取付け位置を規定するための位置規定構造が形成されていることを特徴とする筐体の取付け構造。
【請求項２】
前記第１部材から磁石を突出させることによって第１の凹凸構造を構成し、
前記第２部材には、取付け状態において前記磁石の回りを囲むように形成された凸部によって第２の凹凸構造を構成したことを特徴とする請求項１に記載の筐体の取付け構造。
【請求項３】
前記第１部材と前記第２部材とをネジ止めし得るネジ止め構造を備えたことを特徴とする請求項１または２の何れか１項に記載の筐体の取付け構造。
【請求項４】
前記第１部材には、複数の磁石を固定し、
前記第２部材には、取付け状態における前記各磁石に対応する位置にそれぞれ磁性体を配設したことを特徴とする請求項１〜３の何れか１項に記載の筐体の取付け構造。
【請求項５】
取付け対象の壁面は、取付け状態における筐体の壁面への投影形状とほぼ同じ投影形状の取付け部材で構成したことを特徴とする請求項１〜４の何れか１項に記載の筐体の取付け構造。
【発明の詳細な説明】
【技術分野】
【０００１】
本発明は、コンピュータのネットワーク機器等の電子機器のような小型の筐体を、磁石を用いて壁面等に取り付ける構造に関するものである。
【背景技術】
【０００２】
従来より、電子機器やガス警報器等のような小型の筐体を、磁石を用いて壁面に取り付けることが行われていた。（例えば、特許文献１、特許文献２参照）
特許文献１においては、ガス警報器の本体ケースの背面に、金属取付け面への吸着用の磁石を備えた構造が記載されている。
【０００３】
【特許文献１】実開平５−１７７９４号公報
【特許文献２】特開２００１−９２５６３号公報
【発明の開示】
【発明が解決しようとする課題】
【０００４】
特許文献１に記載された構造では、本体ケースの取付け位置が確定しにくいという問題がある。そのために、取付け位置を規定する構造として、壁面に装着した取付け金具の突出部を係入する凹部を本体ケースの背面に設けているが、おおまかな取付け位置は定まっても、多少の上下左右のずれや傾きが発生しやすいという問題があった。
また、単に磁石で吸着しているだけであるので、容易に取り外すことができ、盗難を防ぎにくいという問題もあった。
特許文献２に記載された構造では、取付け位置を規定する構造は全く備えていないので、取付け位置が確定しにくいという問題と、盗難されやすいという問題があった。
【０００５】
そこで、本発明は、単に磁石で取付けするだけでなく、取付け位置を規定する構造を備えるとともに、容易には取り外しにくいようにして、脱落や盗難等の不用意な取り外しを防止する構造を備えた取付け構造の提供を目的としてなされたものである。
【課題を解決するための手段】
【０００６】
本発明にかかる筐体の取付け構造の請求項１は、
筐体もしくは取付け対象の壁面の何れか一方の第１部材には、磁石を固定し、
他方の第２部材には、取付け状態における前記磁石に対応する位置に磁性体を配設し、
前記磁石と前記磁性体とを吸着させることによって、筐体を取付け対象の壁面に取付けるように構成した筐体の取付け構造において、
前記第１部材には、第１の凹凸構造を形成するとともに、前記第２部材には、取付け状態において前記第１の凹凸構造に嵌まり合う第２の凹凸構造を形成することによって、筐体の取付け位置を規定するための位置規定構造が形成されていることを特徴としている。
請求項２では、
前記第１部材から磁石を突出させることによって第１の凹凸構造を構成し、
前記第２部材には、取付け状態において前記磁石の回りを囲むように形成された凸部によって第２の凹凸構造を構成したことを特徴としている。
請求項３では、
前記第１部材と前記第２部材とをネジ止めし得るネジ止め構造を備えたことを特徴としている。
請求項４では、
前記第１部材には、複数の磁石を固定し、
前記第２部材には、取付け状態における前記各磁石に対応する位置にそれぞれ磁性体を配設したことを特徴としている。
請求項５では、
取付け対象の壁面は、取付け状態における筐体の壁面への投影形状とほぼ同じ投影形状の取付け部材で構成したことを特徴としている。
【発明の効果】
【０００７】
本発明の請求項１では、第１部材には、第１の凹凸構造を形成するとともに、第２部材には、取付け状態において前記第１の凹凸構造に嵌まり合う第２の凹凸構造を形成することによって、筐体の取付け位置を規定するための位置規定構造が形成されているので、前記第１部材と第２部材との相対的な位置が規定され、取付け位置がずれにくいという効果が得られる。
また、請求項２では、前記第１部材から磁石を突出させることによって第１の凹凸構造を構成し、前記第２部材には、取付け状態において前記磁石の回りを囲むように形成された凸部によって第２の凹凸構造を構成したので、簡単な構造で位置規定構造を実現することができる。
また、請求項３では、前記第１部材と前記第２部材とをネジ止めし得るネジ止め構造を備えたたので、磁石による吸着力によって止められているとともに、ネジによっても止められているので、容易には取り外すことができない。従って、落下防止や、盗難を防止する効果が得られる。
また、請求項４では、複数の磁石を用いたので、吸着力が強くなるだけでなく、さらに位置が確実に規定され、位置ずれしにくいという効果が得られる。
また、請求項５では、取付け対象の壁面は、取付け状態における筐体の壁面への投影形状とほぼ同じ投影形状の取付け部材で構成したので、目立ちにくいという効果が得られる。
【発明を実施するための最良の形態】
【０００８】
以下に、本発明にかかる筐体の取付け構造を、その実施の形態を示した図面に基づいて詳細に説明する。
図１は、本発明にかかる筐体の取付け構造を備えた無線ネットワーク機器と、その取付け部材の斜視図である。
図１において、
１は無線ネットワーク機器の筐体、２は取付け部材である。
前記筐体１の背面１１には４つの円形の磁石３、３、３、３が、ネジで固定されている。図２に示したように、前記磁石３の中心部には孔が形成され、この孔にネジ４を差し込み、ネジ４の先を、前記筐体１の背面１１に形成されたネジ孔にねじ込んで、磁石３が筐体１の背面１１に固定されている。
【０００９】
前記筐体１には、その他に無線ネットワーク機器として必要なＬＡＮコネクタやアンテナ等が取付けられ、内部には必要な電子回路等が備えられている。
【００１０】
前記取付け部材２は強磁性体である鉄製とし、壁等に固定するためのネジを通す孔２１が複数形成されている。
さらに、取付け状態において、前記筐体１の４つの磁石３、３、３、３の周囲をそれぞれ取り囲むように４つの円形の凸部５、５、５、５が形成されている。前記各凸部５に囲まれた円形部分５１は、各磁石３との吸着力を高めるために表面が平らになっている。
なお、前記４つの凸部５、５、５、５は、取付け状態において前記４つの磁石３、３、３、３とそれぞれ対応する位置に形成されている。
【００１１】
図１に示したように、前記取付け部材２の上縁にはネジ止め用の立設片２２が設けられ、前記立設片２２にはネジ止め用の孔２３が設けられている。
一方、前記筐体１の上面には、取付け状態において前記ネジ止め用の孔２３に対応する位置にネジ孔１２が設けられている。
【００１２】
次に、上記構成の筐体１を壁等に取付ける場合を説明する。
前記筐体１を鉄板等の磁性体の壁に取付ける場合には、前記取付け部材２が無くても、磁石によって吸着させて取付けることができる。
しかし、板壁やコンクリート壁等のような非磁性体の壁に取付ける場合や、取付け位置を規定して取付ける場合や、盗難されにくいように取付ける場合には、まず、取付け部材２の孔２１を利用してに、当該取付け部材２を壁にネジ止め固定する。
次に、筐体１の４つの磁石３、３、３、３の位置を、前記取付け部材２の４個所の凸部５、５、５、５の位置に合わせて、各磁石が、各凸部の中の凹部に嵌まり込むように吸着させる。このように、各磁石が各凸部に囲まれた凹部に嵌まり込むように吸着させることによって、筐体１と取付け部材２との相対的な位置ずれは殆ど無くなり、所定の位置に取付けられる。
さらに、取付け状態の平面図を示した図３に示されているように、取付けネジ６を、取付け部材２の立設片２２のネジ止め用の孔２３（図１参照）に通して、筐体１の上面に形成されたネジ孔１２（図１参照）にねじ込むことによって、筐体１と取付け部材２とは、磁石だけでなく、ネジ６によっても取付けられる。
従って、筐体１を容易に取り外すことができないので、盗難を予防する効果も得られる。特に、前記ネジ６を特殊な工具を用いないと緩めることができないような構造のネジとすることによって、盗難を予防する効果をさらに確実にすることができる。
【００１３】
前記筐体１の背面１１が、特許請求の範囲に記載された第１部材に対応し、前記磁石３は特許請求の範囲に記載された磁石と、第１の凹凸構造に対応し、前記取付け部材２は、特許請求の範囲に記載された第２部材に対応し、前記凸部５は、特許請求の範囲に記載された第２の凹凸構造に対応し、前記磁石３と前記凸部５とが、特許請求の範囲に記載された位置規定構造に対応している。
また、取付けネジ６を、取付け部材２の立設片２２のネジ止め用の孔２３に通して、筐体１の上面に形成されたネジ孔１２にねじ込むことによって、筐体１を取付け部材２に取付ける構造は、特許請求の範囲に記載されたネジ止め構造に対応している。
【実施例１】
【００１４】
本発明の実施例１では、図１、２、３に示したように、筐体１に磁石３を固定し、取付け対象の壁面を鉄製の取付け部材２とし、位置規制構造としては、取付け部材２に、前記磁石を取り囲むような凸部５を形成した。さらに、ネジ止め構造としては、取付け部材２に設けた立設片２２をネジ６によって前記筐体１のネジ孔１２にねじ込むようにした。
また、前記取付け部材２は、取付け状態における壁面への投影形状とほぼ同じ投影形状としたので、筐体１の背面の取付け部材２が目立たないという効果が得られる。
【００１５】
なお、本発明を実施する形態としては、以上の実施例１に限定されるものではなく、取付け部材２の方に磁石を固定してもよい。また、磁石は複数とした方が位置ずれを防げるとともに、吸着力も強くできるが、１つでも位置規制構造を実現することができる。
また、磁性体としては、鉄、コバルト、ニッケルを含んだ強磁性体が好ましい。また、強磁性体であれば、着磁されていなくてもよいが、吸着する方向の極性に着磁されていれば、さらに強力な吸着力が得られる。実施例１のように取付け部材２の全体を磁性体で形成してもよいが、少なくとも磁石に対応する吸着位置だけでもよい。
また、ネジ止め構造としては、実施例１の構成に限定されるものではなく、筐体に立設片を設け、取付け部材にネジ止めしてもよい。
【００１６】
また、位置規定構造としては、実施例１の構造に限定されるものではなく、
例えば、取付け部材に、吸着状態における筐体の磁石が嵌まり込むような凹部を形成してもよい。または、筐体の背面に形成した凹部に磁石を固定し、取付け部材には前記凹部に嵌まり込む凸部を形成してもよい。また、磁石の中心に凹部を形成し、取付け部材には前記凹部に嵌まり込む凸部を形成してもよい。逆に、取付け部材に磁石を固定した場合も同様であるので、その説明は省略する。
【産業上の利用可能性】
【００１７】
本発明の筐体の取付け構造は、電子機器に限らず、ガス警報器や照明器具や装飾品の取付けにも応用することができる。
【図面の簡単な説明】
【００１８】
【図１】本発明にかかる筐体の取付け構造の実施の形態の構成を示した斜視図である。
【図２】前記筐体の取付け構造の要部の断面図である。
【図３】図１に示した筐体の取付け構造によって取付けた状態の平面図である。
【符号の説明】
【００１９】
１    筐体
１１  第１部材、筐体の背面
３    磁石
２    取付け対象の壁面、第２部材、取付け部材
３    第１の凹凸構造
５    第２の凹凸構造
５１  磁性体
３、５  位置規定構造
１２、２２、２３、６  ネジ止め構造
【図１】
2005347294.tif 000003
【図２】
2005347294.tif 000004
【図３】
2005347294.tif 000005